(57)【要約】  【課題】  クリーニング作業時に巻取り室内に円滑に巻取りが行なえる搬送ローラ用クリーニングテープを提供する。  【解決手段】  テープ本体の両面にクリーニング用粘着部が設けられ、搬送ローラ対により搬送されるフィルムの搬送方向端前方に設けられた巻取り室に前記フィルムを巻き取るようした画像処理装置における前記搬送ローラ対のローラ面を、前記クリーニング用粘着部でクリーニングするようにしたクリーニングテープであって、テープ本体の長さ方向一端部には、前記巻取り部へのテープ本体の巻取り時に前記巻取り室の内周壁へのテープ本体の貼り付きを抑制するための非粘着部が設けられ、この非粘着部の長さが、前記巻取り室の内周壁の全周長さ以上とした。  【選択図】  図４
2007045539.tif 000002
【特許請求の範囲】
【請求項１】
テープ本体の少なくとも片面にクリーニング用粘着部が設けられ、搬送ローラ対により搬送されるフィルムの搬送方向端前方に設けられた巻取り室に前記フィルムを巻き取るようした画像処理装置における前記搬送ローラ対のローラ面を、前記クリーニング用粘着部でクリーニングするようにしたクリーニングテープであって、テープ本体の先端部には、前記巻取り部へのテープ本体の巻取り時に前記巻取り室内周壁へのテープ本体の貼り付きを抑制するための非粘着部が設けられていることを特徴とする搬送ローラ用クリーニングテープ。
【請求項２】
非粘着部の長さが、巻取り室の内周壁の全周長さ以上としていることを特徴とする請求項１に記載の搬送ローラ用クリーニングテープ。
【発明の詳細な説明】
【技術分野】
【０００１】
本発明は、画像処理装置における主としてフィルム画像読み取り装置の搬送ローラ対をクリーニングするために用いるクリーニングテープに関する。
【背景技術】
【０００２】
一般に画像処理装置には、ネガフィルムや印画紙の搬送路に沿って、多数の駆動側搬送ローラ及びこれら駆動側搬送ローラに圧接する従動側搬送ローラから成る搬送ローラ対が設けられ、これら搬送ローラ対を介してネガフィルムや印画紙を搬送路に沿って搬送するようにしているが、搬送ローラ対のローラ面に塵挨等が付着するなどして汚れると、搬送ローラが写真感光材料に対して滑って、写真感光材料の搬送が正確に行えなくなる。
【０００３】
そのため従来では、前述の搬送ローラ対をクリーニングする方法として、テープ体の表面の全面にクリーニング用粘着部を設けたクリーニングテープを別途用意して、このクリーニングテープを搬送ローラ対に通すことで、搬送ローラ対のローラ面の汚れをクリーニング用粘着部に転写させる方法が行なわれている。
【０００４】
ところで、画像処理装置に搭載されるフィルム画像読み取り装置は、フィルムの搬送路と、この搬送路の途中にライン状に開口するスキャニングゲートと、搬送路に沿ってフィルムを往復動させるための搬送装置とが備えられるとともに、搬送路の搬送方向一端にはフィルム装填部が設けられ、搬送路の搬送方向他端にはフィルムの巻取り部が設けられている。
【０００５】
前述の搬送装置は、フィルムを搬送するための複数の搬送ローラ対が備えられ、搬送路に沿って搬送されるフィルムを、搬送ローラ対を介して搬送しながら、フィルムに記録されている画像をスキャニングゲートを介して照射して、フィルムの画像を読み取るようにしている。(特許文献1参照)
そして以上のフィルム画像読み取り装置では、フィルム装填部に装填したフィルムを搬送ローラ対を介して搬送路に沿って往動しながらスキャニングゲートを介してプレスキャニングを行なって、そのフィルムを一旦巻取り部の巻取り室内に巻き取った後、巻取り室内に巻き取ったフィルムを再度搬送路に沿って復動しながらスキャニングゲートを介して本スキャニングを行なうようにしている。
【０００６】
そのため、以上のフィルム画像読み取り装置において、搬送装置を構成する搬送ローラ対を前記したクリーニングテープでクリーニングする場合においても、先ずクリーニングテープを搬送ローラ対を介して搬送路に沿って往動させて、クリーニングテープを一旦巻取り室内に巻き取った後、巻取り室内に巻き取ったクリーニングテープを再度搬送路に沿って復動させるようにしている。
【０００７】
しかしながら、従来のクリーニングテープにより以上のクリーニング作業を行なった場合には、クリーニングテープの搬送方向前端部が巻取り室内に巻き取られる際に、図８に概略的に示すように、クリーニングテープＡの搬送方向前端部が、その前端部の表面に設けられているクリーニング用粘着部により、巻取り部Ｂの巻取り室Ｃの内周壁Ｄなどに貼り付いてしまって、クリーニングテープＡの巻取り室Ｃ内への巻取りが困難となる不具合がある。
尚、図８において符号Ｅは搬送ローラ対を示す。
【特許文献１】特開２００３−１７２９７６号公報
【発明の開示】
【発明が解決しようとする課題】
【０００８】
本発明は以上の実情に鑑みて開発したものであって、目的とするところは、クリーニング作業時に巻取り室内に円滑に巻取りが行なえる搬送ローラ用クリーニングテープを提供することにある。
【課題を解決するための手段】
【０００９】
以上の目的を達成するために、請求項１に記載の発明は、テープ本体の少なくとも片面にクリーニング用粘着部が設けられ、搬送ローラ対により搬送されるフィルムの搬送方向端前方に設けられた巻取り室に前記フィルムを巻き取るようした画像処理装置における前記搬送ローラ対のローラ面を、前記クリーニング用粘着部でクリーニングするようにしたクリーニングテープであって、テープ本体の長さ方向一端部には、前記巻取り部へのテープ本体の巻取り時に前記巻取り室の内周壁へのテープ本体の貼り付きを抑制するための非粘着部が設けられていることを特徴とするものである。
【００１０】
また請求項２に記載の発明は、請求項１に記載の非粘着部の長さが、前記巻取り室の内周壁の全周長さ以上としていることを特徴とするものである。
【発明の効果】
【００１１】
請求項１に記載の発明によれば、クリーニングテープによる搬送ローラ対のクリーニング作業時、巻取り室内にクリーニングテープを巻き取る際に、クリーニングテープが巻取り室の内周壁や巻取り室内に設けられる巻取りドラムなどに不用意に貼り付くことがなく、クリーニングテープを巻取り室内に円滑に巻取りることが出来る。
【００１２】
また請求項２に記載の発明によれば、非粘着部の長さが巻取り室の内周壁の全周長さ以上であるので、クリーニングテープの非粘着部が巻取り室内に設けられる巻取りドラムに少なくとも一巻巻かれるまでは、クリニーングテープの先端部が内周壁に貼り付くことがなく、クリーニングテープの非粘着部が巻取りドラムに一巻巻かれると、クリーニングテープの先端部が巻取りドラムに連結された状態となるので、以降、クリーニングテープは巻取り室内に確実に巻き取ることが出来る。
【発明を実施するための最良の形態】
【００１３】
図１〜図３は、本発明のクリーニングテープを使用する搬送ローラ対が搭載された画像処理装置を概略的に示したものである。
この画像処理装置１は、フィルム画像読取装置１０などで読み取った画像データに主として各種の画像処理を施すためのものであって、この画像処理装置１には、画像処理ソフトウエア等がインストールされたコンピュータから成るコントローラ１１と、コントローラ１１に各種情報を入力するためのキーボード１２と、各種情報を表示するためのモニター１３と、各種記録メディアに記録された画像データを読み取るための記録メディア読取装置１４が搭載されている。
【００１４】
以上の画像処理装置１は、フィルム画像読取装置２若しくは記録メディア読取装置１４により読み取られた画像データを、所定の画像処理プログラムとキーボード１２ａまたはマウス１２ｂにより入力されるプリントサイズなどの各種情報に基づいて、コントローラ１１により適宜処理した後、順次プリントデータとしてプリンター（図示せず）側に出力するようにしている。
【００１５】
フィルム画像読取装置１０は、後記するフィルムキャリアユニット２の他、図示していないが、このフィルムキャリアユニット２にセットされたフィルムを照射するためのランプ装置や、フィルムを透過したランプ装置からの光が入射するレンズユニットや、レンズユニットを通過した光を電気的信号に変換するＣｈａｒｇｅ Ｃｏｕｐｌｅｄ Ｄｅｖｉｃｅ ユニット（以下、ＣＣＤユニットと云う）などが備えられている。
【００１６】
フィルムキャリアユニット２は、図２に示すように、ユニット本体２０と、このユニット本体２０に対して開閉可能に枢支されたユニット分割体２１とにより上下二分割された構造となっており、このフィルムキャリアユニット２には、図２にも示すように、フィルムの搬送路３０を備えた搬送機構３が搭載されている。
【００１７】
フィルム搬送路３０の途中には、光源からの光を通過させるライン状のスリットからなるスキャニングゲート３１が形成されている。
【００１８】
搬送機構３は、前述の搬送路３０と、この搬送路３０に沿ってフィルムを搬送させるための搬送装置４とが備えられている。
【００１９】
搬送装置４は、搬送路３０におけるスキャニングゲート３１の上流側に設けられた2組の上流側搬送ローラ対４１・４２と、搬送路３０におけるスキャニングゲート３１の下流側に設けられた2組の下流側搬送ローラ対４３・４４と、搬送路４０ａの搬送方向一端に設けられたフィルム装填部４５と、搬送路３０の搬送方向他端に設けられたフィルム巻取り部４６とが備えられている。
【００２０】
各搬送ローラ対４１・４２・４３・４４は、ユニット本体３０側に取り付けられた駆動ローラ４１ａ・４２ａ・４３ａ・４４ａと、ユニット分割体３１側に取り付けられた従動ローラ４１ｂ・４２ｂ・４３ｂ・４４ｂとから構成されている。
【００２１】
フィルム巻取り部４６は、モーター駆動によりフィルムを巻き取るための巻取りドラム４７が巻取り室４８内に備えられ、搬送路３０から搬出されるフィルムを巻取りドラム４７に順次巻き取るようにしている。
【００２２】
以上の構造の搬送機構３を搭載したフィルム画像読取装置１０により、フィルムをスキャニングするには、フィルムを搬送装置４により搬送路３０ａに沿って搬送させるのであって、フィルムに記録された各駒画像がスキャニングゲート３１を通過するに伴い、各駒画像がスキャニングゲート３１を介して読み取られて、先ずプレスキャニングが行なわれると共に、その先端側からフィルム巻取り部４６の巻取り室４８内において巻取りドラム４７に順次巻き取られるのである。
【００２３】
そしてプレスキャニングが終了した段階で、フィルムが搬送装置４により逆方向に搬送されて、再度スキャニングゲート３１を介して読み取られて、本スキャニングが行なわれるのである。
【００２４】
本発明は、以上のフィルムキャリアユニット２に搭載されている搬送ローラ対４１・４２・４３・４４のローラ面をクリーニングするためのクリーニングテープに関するものであって、次にこのクリーニングテープを詳説する。
【００２５】
図４〜図７に示すクリーニングテープ５は、前記した搬送ローラ対４１・４２・４３・４４を専らクリーニングするためのものであって、所定長さのテープ本体５０を備えて成り、このテープ本体５０はポリエチレンテレフタレートから形成されて、幅が約３５ｍｍ、全長が約４００ｍｍとしている。
【００２６】
尚、このテープ本体５０は、ポリエチレンテレフタレートから形成する他、ポリプロピレン、塩化ビニルなどのプラスチックシートから形成してもよい。
【００２７】
そしてこのテープ本体５０の長さ方向一端部には、後記するクリーニング用粘着部７を構成する粘着層７１及びポーラススクリーン７２がその両面に敷設されていない非粘着部６を設けると共に、この非粘着部６以外のテープ本体５０の両面には、クリーニング用粘着部７を形成している。
【００２８】
非粘着部６は、巻取り部へのテープ本体の巻取り時に前記巻取り室内周壁へのテープ本体の貼り付きを抑制するためのものであって、この非粘着部６の長さＬは、巻取り室４８の内周壁の全周長さよりも若干長く（実施形態では３５ｍｍ）している。
【００２９】
一方、クリーニング用粘着部７は、テープ本体５０の両面に、厚み（塗布乾燥後の厚み）が２５μｍの粘着剤層７１を形成した後、この粘着剤層７１の表面にポーラススクリーン７２を敷設したものである。
【００３０】
クリーニング粘着部７を形成する粘着剤として、図に示す実施形態のものは、２エチルへキシルアクリレート９０重量部とアクリル酸１０重量部と酢酸エチル３００重量部とを混合し、共重合させたものを用いている。尚、粘着剤としてアクリル系、スチレン系、シリコーン系などの合成ゴム系、天然ゴム系等のものを使用してもよい。
【００３１】
またポーラススクリーン７２は、図６に示すように、ポリエステル製繊維を平編みした目の荒い編み地を用い、このポーラススクリーン７２を粘着剤層７１の表面に加圧しながら接着している。
【００３２】
尚、ポーラススクリーン７２は、前述の編み地に替えて、平織りとした織布の他、不織布、紙、プラスチックネットを使用してもよい。
【００３３】
以上のクリーニングテープ５は、ポーラススクリ−ン７２の表面に、例えば指で軽くふれた程度では、ポーラススクリ−ン７２が粘着剤層７１の表面から突出しているために非粘着であり、ポーラススクリーンに所定の接触圧がかかると、粘着剤層７１がポーラススクリーン７２のポーラス部から表出して、粘着性を発揮する。
【００３４】
次に以上のクリーニングテープ５を用いて、フィルムキャリアユニット２における搬送装置の搬送ローラ対４１・４２・４３・４４をクリーニングするには、非粘着部６側を先頭にして、クリーニングテープ５をフィルム装填部４５から搬送路１０に送り込み、順次搬送ローラ対４１・４２・４３・４４を通過させるのであって、クリーニング用粘着部７が搬送ローラ対４１・４２・４３・４４を通過するに伴い、クリーニング用粘着部７が搬送ローラ対４１・４２・４３・４４で加圧された時、搬送ローラ対を構成する駆動ローラ４１ａ・４２ａ・４３ａ・４４ａ及び従動ローラ４１ｂ・４２ｂ・４３ｂ・４４ｂのローラ面が粘着剤層７１の表面に接触し、ローラ面に付着している埃などが粘着剤層７１の表面側に転写され、この転写作用によりローラ面がクリーニングされるのである。
【００３５】
そして、クリーニングテープ５の非粘着部６が巻取り部４６の巻取り室４８内に順次進入して、巻取りドラム４７に巻き取られるのであるが、巻取りドラム４７に巻き取られる前にクリーニングテープ５の先端部が例えば巻取り室４８の内周壁に圧接しても、この先端部は非粘着部６であるので、クリニーングテープ５の先端部が内周壁に貼り付くようなことがないのであって、しかも非粘着部６が、巻取り室４８の内周壁の全周長さよりも若干長いので、クリーニングテープ５の非粘着部６が巻取りドラム４７に一巻巻かれるまでは、クリニーングテープ５の先端部が内周壁に貼り付くことがないのである。
【００３６】
そしてクリーニングテープ５の非粘着部６が巻取りドラム４７に一巻巻かれると、クリーニングテープ５の先端部が巻取りドラム４７に連結された状態となるので、以降、クリーニングテープ５は巻取りドラム４７に確実に巻き取られることとなる。
【００３７】
斯くして以上のクリーニングテープ５による搬送ローラ対４１・４２・４３・４４のクリーニング作業に際して、クリーニングテープ５が従来のように巻取り室の内周壁などに貼り付くような不具合がなく、巻取りドラム４７に確実に巻き取ることが出来る。
【００３８】
以上の実施形態では、クリーニング用粘着部７を構成する粘着剤層７１の表面にポーラススクリーン７２を敷設したが、このポーラススクリーン７２はなくてもよい。
【００３９】
また以上の実施形態では、非粘着部６の長さＬを、巻取り室４８の内周壁の全周長さよりも若干長くしたが、巻取り室４８の内周壁の全周と同一長さにしてもよい。
【００４０】
また以上の実施形態では、テープ本体５０の両面にクリーニング用粘着部７を設けたが、これに限定されるものではなく、テープ本体５０の片面にのみクリーニング用粘着部７を設けたものでもよい。
【図面の簡単な説明】
【００４１】
【図１】画像処理装置の説明図。
【図２】フィルム搬送機構を備えたフィルムキャリアユニットの断面図。
【図３】フィルムキャリアユニット概略説明図。
【図４】本発明にかかるクリーニングテープの概略平面図。
【図５】本発明にかかるクリーニングテープの概略正面図。
【図６】同、要部の拡大平面図。
【図７】同、要部の拡大断面図。
【図８】従来のクリーニングテープによる搬送ローラ対のクリーニング作業の説明図。
【符号の説明】
【００４２】
１      画像処理装置
４８    巻取り室
５      クリーニングテープ
５０    テープ本体
６      非粘着部
７      クリーニング用粘着部
【図１】
2007045539.tif 000003
【図２】
2007045539.tif 000004
【図３】
2007045539.tif 000005
【図４】
2007045539.tif 000006
【図５】
2007045539.tif 000007
【図６】
2007045539.tif 000008
【図７】
2007045539.tif 000009
【図８】
2007045539.tif 000010